(57)【要約】  本方法は、ヒト身体にしっかりと取り付けられた電極を用いて、高周波（ＺＨＦ）および低周波（ＺＬＦ）において、ヒト身体領域に対するインピーダンスを測定することを含む。ＺＨＦ値に基づいて、ヒト身体領域の組織内に含有されている流体の量の推定値が導出される。また、ＺＬＦ値に基づいて、ヒト身体領域の組織内に含有されている細胞外液の量の推定値が導出される。細胞外液の量の代謝成分（ここで、前述の代謝成分は、そのヒト身体におけるエネルギ担体の合成および利用と関係している）の増分は、前回行われた測定から得られた値と比べたときのすべての流体の量の増分を算出し、また、前回行われた測定から得られた値と比べたときの細胞外液の量の増分を算出し、その後、前述のすべての流体の量の増分と細胞外液の量の増分との間での差異を算出することにより決定される。グルコース濃度の増分の値は、上述の細胞外液量の代謝成分の増分を正規化することにより導出される。ヒト血液中におけるグルコース濃度Ｇ（ｔｋ）は、上述のグルコース濃度の増分の値と前の段階の測定で導出された血液中のグルコース濃度の値とを合計することにより決定される。本方法は、ヒト血液中におけるグルコース濃度を非侵襲的に且つ高精度で決定することを可能にする。【選択図】図１
2015512672.tif 000002
【特許請求の範囲】
【請求項１】
ヒトにおける血液グルコースの濃度を測定する方法であって、当該方法が：
該ヒトの身体のある領域に間隔をあけて取り付けられた電極を使用して、予め定められた時間間隔で前記領域の高周波インピーダンスの値および低周波インピーダンスの値を連続的に測定するステップ；
上記高周波インピーダンスの測定値を用いて、上記電極間に位置する該領域の組織内における流体の量の推定値を決定するステップ；
上記低周波インピーダンスの測定値を用いて、該電極間に位置する該領域の上記組織内における細胞外液の量の推定値を決定するステップ；
上記細胞外液の該量の代謝成分の増分を：
上記流体の該量に関する前回測定された値に対して相対的な前記流体の該量の上記推定値の増分を決定すること；
上記細胞外液の該量に関する前回測定された値に対して相対的な前記細胞外液の該量の上記推定値の増分を決定すること；
上記流体の該量の上記推定値の該増分と上記細胞外液の該量の上記推定値の該増分との間での差異を決定すること；
により決定するステップ；
上記細胞外液の該量の上記代謝成分の該増分を正規化することによって上記血液グルコースの該濃度の増分を決定するステップ；および
上記血液グルコースの該濃度の上記増分と前回決定された該血液の濃度とを合算することにより、前記血液グルコースの該濃度を決定するステップ；
を含み、ここで、
第１の時間間隔において上記血液グルコースの濃度を決定するステップが、前記第１の時間の間隔における該濃度の増分と初期血液グルコース濃度とを合算するステップを含む；
ヒトの血液グルコースの濃度を測定する方法。
【請求項２】
上記初期血液グルコース濃度が侵襲的に決定される、請求項１に記載の方法。
【請求項３】
上記ヒトの該身体の上記領域に間隔をあけて取り付けられた少なくとも２つの電極が使用される、請求項１に記載の方法。
【請求項４】
上記少なくとも２つの間隔をあけて設けられる電極が、腕または指などの末梢の身体領域に取り付けられる、請求項３に記載の方法。
【請求項５】
上記予め定められた時間間隔が１秒間から１０分間までの範囲である、請求項１に記載の方法。
【請求項６】
当該方法において：
Ｗｓｕｍ（ｔｋ）が以下の式：
Ｗｓｕｍ（ｔｋ）＝Ａ・Ｌ２／ＺＨＦ（ｔｋ）
に従って決定される、上記電極間に位置する該領域の組織内における上記流体の量であって、ここで：
Ｌは前記２つの電極間の距離であり；
ＺＨＦ（ｔｋ）は時点ｔｋにおいて測定された上記高周波ＨＦインピーダンスであり；
Ａは：
Ａ＝Ｖｓｕｍ・ＺＨＦ／Ｌ２
として決定される校正係数であって、ここで：
Ｖｓｕｍは前記電極間に位置する上記領域内の該組織中における上記流体の量に関する予備的に決定された値であり；
ＺＨＦは予備的に決定された高周波ＨＦインピーダンスであり；
Ｗｏｕｔ（ｔｋ）が以下の式：
Ｗｏｕｔ（ｔｋ）＝Ｂ・Ｌ２／ＺＬＦ（ｔｋ）
に従って決定される、前記電極間に位置する上記領域の該組織中における上記細胞外液の該量であって、ここで：
ＺＬＦ（ｔｋ）は時点ｔｋにおいて測定された上記低周波ＬＦインピーダンスであり；
Ｂは：
Ｂ＝Ｖｏｕｔ・ＺＬＦ／Ｌ２
として算出される校正係数であって、ここで：
Ｖｏｕｔは領域内における上記細胞外液の予備的に決定された量であり；
ＺＬＦは予備的に決定された低周波ＬＦインピーダンスであり；
ΔＷｏｓｍ（ｔｋ）が：
ΔＷｏｓｍ（ｔｋ）＝［Ｗｓｕｍ（ｔｋ−１）−Ｗｓｕｍ（ｔｋ）］−Ｋａ［Ｗｏｕｔ（ｔｋ−１）−Ｗｏｕｔ（ｔｋ）］
として決定される上記代謝成分の該増分であって、ここで：
Ｗｓｕｍ（ｔｋ−１）は時点ｔｋ−１において測定された上記組織内における前記流体の該量であり；
Ｗｏｕｔ（ｔｋ−１）は時点ｔｋ−１において測定された上記細胞外液の該量であり；
Ｋａは、１．２から２．１までの範囲から選択される、ヒト・ヘマトクリット量に依存する係数であり；
ΔＧ（ｔｋ）が：
ΔＧ（ｔｋ）＝ΔＷｏｓｍ（ｔｋ）・ＫＥ・ＫＰＲ／Ｋｇ
として決定される上記血液グルコースの前記濃度の該増分であって、ここで：
Ｋｇは０．００５ｌ２ミリモル−１から０．００６ｌ２ミリモル−１までの範囲の正規化係数であり；
ＫＥは、食事を摂取する前には０．２３から０．４までの範囲から選択され、そして、該食事の後には０．６から１．０までの範囲から選択される係数であり；
ＫＰＲは、前記食事を摂取してから２０分後から４５分後までに血液中の上記グルコースの該濃度を測定することに対応した係数であって、ここで：
ΔＷｏｓｍ（ｔｋ）が０より大きい場合には、ＫＰＲ＝１であり；そして
ΔＷｏｓｍ（ｔｋ）が０より小さい場合には、ＫＰＲ＝−１である；
請求項１に記載の方法。
【発明の詳細な説明】
【技術分野】
【０００１】
本発明は、ヒトの健康状態を医学的に検査するための非外科的な方法、すなわち、ヒト身体部分のインピーダンスの測定結果としてヒト血液中におけるグルコース濃度を決定するための方法に関する。
【背景技術】
【０００２】
ヒト身体部分の電気的なインピーダンスまたはインピーダンス成分の測定に基づいてヒト血液中におけるグルコース濃度を決定するための幾つかの非侵襲的な方法が公知である。
【０００３】
たとえば、ヒト血液中における糖含量を指示するための方法が公知であり［露国特許第２０７３２４２号、Ｇ０１Ｎ３３／４、１９９７年］、その方法によれば、トランスデューサの電場内に置かれた指の誘電体透磁率の変動に基づいて糖含量レベルが決定される。
【０００４】
また、ヒト血液中における糖の量をモニタリングするための方法も公知であり［露国特許第２０８８９２７号、Ｇ０１Ｎ３３／４９、１９９７年］、その方法によれば、発振回路素子へのヒトの直接的な作用を介して高周波発生器の二次回路に含まれている発振回路のリアクタンスを変化させることにより測定が行われる。この方法の場合、血液中の糖の量は、高周波発生器の二次回路における電流の変動に基づいて決定される。
【０００５】
別の方法も公知であり［米国特許第５７９２６６８号、Ｇ０１Ｎ２７／００、１９９８年］、この方法の場合、ヒト身体により反射された高周波放射またはヒト身体を通過した高周波放射のスペクトル分析が行われる。電気的インピーダンスの反応成分を特徴付けする直接波と反射波（または透過波）との間での位相シフトがこの方法により測定されるべきパラメータである。血液中に含まれている物質の濃度（特にはグルコース濃度）がそれらの測定された位相スペクトルのパラメータに基づいて決定される。
【０００６】
更に別の方法が公知であり、その方法は、露国特許第９７０３Ｕ１号、Ａ６１Ｂ５／００、１９９９年に記載されている装置において具現化されたものである。グルコース濃度は、２つの周波数におけるヒト身体領域のインピーダンスの測定に基づき、インピーダンスの容量成分を決定し、その得られた容量成分の値を患者の血液中におけるグルコース濃度に変換することにより、この装置によって決定される。
【０００７】
ヒト血液中におけるグルコース濃度を非侵襲的に測定するための方法が公知である［米国特許第６５１７４８２号、Ａ６１Ｂ５／００、２００３年］。その方法は、数多くの周波数において２つの電極間におけるインピーダンスを測定し、それらの測定値に基づいてグルコース濃度の値を導出することに基づく。
【０００８】
また、血液中におけるグルコース濃度を非侵襲的に決定するための別の方法も公知であり、その方法は、２対の四電極センサを用いて電気伝達関数を測定するステップを含んでいる［露国特許第２３４２０７１号、Ａ６１Ｂ５／０５３、２００８年］。血液中におけるグルコースの濃度は、前以って特定された数理モデルに基づいて決定される。
【０００９】
また、ヒト血液中におけるグルコース濃度を決定するための別の方法も公知であり［米国特許第７０５０８４７号、Ａ６１Ｂ５／００、２００６年］、この方法によれば、センサを用いてヒト身体領域のインピーダンスが複数の異なる周波数において測定される。高い周波数におけるインピーダンス値は身体組織に含まれている液量に関係しており、一方、低い周波数におけるインピーダンス値は細胞外液の量に関係している。それらの測定値に基づいてヒト身体における生体液のパラメータが決定され、その後、これらのパラメータからヒト血液中におけるグルコース濃度が導出される。
【００１０】
しかしながら、上で説明されている種々の方法は１つの共通した欠点により特徴付けられ、すなわち、これらの方法を用いることにより得られるヒト血液中のグルコース濃度の値は、測定精度の観点からすると、直接的な侵襲的方法を用いて得られた値よりも下位にランク付けされるという共通の欠点を特徴としている。その反面、血液サンプルの採取を必要とする侵襲的な方法は、利便性および安全性の観点からすると、非侵襲的な方法よりも下位にランク付けされる。
【発明の概要】
【発明が解決しようとする課題】
【００１１】
本発明により解決されるべき技術的な問題は、現在公知の非侵襲的な方法と比べてより精度が高いことを特徴とする、ヒト血液中におけるグルコース濃度を連続的に決定するための非侵襲的な方法を考案することにある。
【課題を解決するための手段】
【００１２】
ヒトにおける血液グルコースの濃度を測定する方法であって、その方法は：
ヒトの身体のある領域に間隔をあけて取り付けられた電極を使用して、予め定められた時間間隔で前述の領域の高周波インピーダンスの値および低周波インピーダンスの値を連続的に測定するステップ；
高周波インピーダンスの測定値を用いて、それらの電極間に位置する領域の組織内における流体の量の推定値を決定するステップ；
低周波インピーダンスの測定値を用いて、それらの電極間に位置する領域の組織内における細胞外液の量の推定値を決定するステップ；
その細胞外液の量の代謝成分の増分を：
その流体の量に関して前回測定された値に対して相対的なその流体の量の推定値の増分を決定すること；
細胞外液の量に関して前回測定された値に対して相対的な細胞外液の量の推定値の増分を決定すること；
その流体の量の推定値の増分と細胞外液の量の推定値の増分との間での差異を決定すること；
により決定するステップ；
上述の細胞外液の量の代謝成分の増分を正規化することによって血液グルコースの濃度の増分を決定するステップ；および
上述の血液グルコースの濃度の増分と前回決定されたその血液の濃度とを合算することにより、血液グルコースの濃度を決定するステップ；
を含み、ここで、
第１の時間間隔において血液グルコースの濃度を決定するステップは、その第１の時間の間隔におけるその濃度の増分と初期血液グルコース濃度とを合算するステップを含む。
【００１３】
本方法の主要な物理学は、あるヒト身体領域における流体の量を測定することにある。ヒト身体における水分は体重の７０％を占めていて、且つ、単一の区域としてはヒト身体中に存在せず、あまねく身体組織に分布している。血管壁および細胞膜（ヒト身体のすべての組織がこれらの材料から成っている）は流体に対する境界としての機能を果たしている。一般的に、３つの水分区域を区別することが容認されている：細胞内液、血管内液（血漿液）および細胞間液（細胞間区域を満たしている流体）。
【００１４】
細胞内液または組織細胞および赤血球内に包含されている流体は、ヒト体重の大凡３０−４０％を占めている。
【００１５】
血管内液および細胞間液は細胞外液の区域を形成しており、ヒト体重の約２０％を占めている。
【００１６】
ヒト身体の内部において処分または再処理されることとなる、細胞または細胞の生命活動の生成物の寿命を維持することを目的とした物質がそれぞれのタイプの流体中に存在する。これらの物質は、ヒト身体の生命活動のプロセス中に細胞膜を通じて１つの区域から別の区域へ移動する。その膜の異なる側での物質の濃度における差異（濃度勾配）に依存する浸透圧は、この動きに対する駆動力の１つを表す。
【００１７】
静止状態においては代謝プロセスの動的平衡状態が観測される。（たとえば、食物の摂取後における胃腸管からのグルコースの流入とともに）浸透圧の濃度勾配の出現は、そこに溶解している固体の濃度が比較的高いことにより特徴付けされる区域の方向へ水分が細胞膜を通じて移動することを押し進める。このプロセスの結果として水分セクタの量が変化する。しかし、その後、これらの区域の乱された平衡状態を修復しようと努める調節機構が作動し始める。言い換えれば、ヒト身体の水分区域量の変化は特徴的な（周期的な）固有の特性を有している。これらの固有の特性は、ヒト身体における代謝プロセスの特徴の指標、たとえば食物摂取後のヒト血液中におけるグルコース濃度の増加の指標として使用することができる。
【００１８】
本方法の基礎は、あるヒト身体領域のインピーダンスを定期的に測定する過程で決定される経時的なヒト身体の水分区域の変化に基づいて、血液中におけるグルコース濃度の増加または減少を推定することにある。
【００１９】
本方法の特定の実施形態においては以下のステップが実行される。
【００２０】
測定の始めにヒト血液中のグルコース濃度の初期値が決定される（侵襲的な方法または非侵襲的な方法のうちのどちらか二者択一的な方法を用いて）。この絶対値はあらゆる人間に対して個別的なものであり、且つ、グルコース濃度変化の動態に関する性状を決定するだけでなく、人間の生活活動の異なる時期中におけるその絶対値をも決定する。
【００２１】
具体的には、相互に特定の距離を隔てて（好適には末梢の身体領域に−たとえば指または腕に）取り付けられた少なくとも２つの電極を用いて、あるヒト身体領域のインピーダンスを測定することができる。
【００２２】
高い周波数および低い周波数におけるヒト身体領域のインピーダンスの測定が１秒間から１０分間までの予め定められた時間間隔で行われる。本方法のハードウェア実装の便宜上、これらの時間間隔は等しくあるべきである。
【００２３】
測定を行っている間に食物摂取の瞬間が記録され、この事実を利用して、ヒト身体へのグルコース供給の動態に関する指標を調節する。
【００２４】
詳細には、本方法を実行したときに、時点ｔｋにおいて高い周波数および低い周波数で測定されたヒト身体領域インピーダンスの値に基づいて以下のパラメータが決定される：
１）電極間に位置するヒト身体領域の組織に含有されている流体の量Ｗｓｕｍ（ｔｋ）が次の式：
Ｗｓｕｍ（ｔｋ）＝Ａ・Ｌ２／ＺＨＦ（ｔｋ）
から算出され、ここで：
Ｌは２つの電極間の距離であり；
ＺＨＦ（ｔｋ）は時点ｔｋにおいて測定された高周波ＨＦインピーダンスであり；
Ａは：
Ａ＝Ｖｓｕｍ・ＺＨＦ／Ｌ２
として決定される校正係数であって、ここで：
Ｖｓｕｍは電極間に位置する領域内の組織中における流体の量に関する予備的に決定された値であり；
ＺＨＦは予備的に決定された高周波ＨＦインピーダンスであり；
２）Ｗｏｕｔ（ｔｋ）は電極間に位置する領域の組織中における細胞外液の量であって、以下の式：
Ｗｏｕｔ（ｔｋ）＝Ｂ・Ｌ２／ＺＬＦ（ｔｋ）
に従って決定され、ここで：
ＺＬＦ（ｔｋ）は時点ｔｋにおいて測定された低周波ＬＦインピーダンスであり；
Ｂは：
Ｂ＝Ｖｏｕｔ・ＺＬＦ／Ｌ２
として算出される校正係数であって、ここで：
Ｖｏｕｔは電極間に位置する領域内における細胞外液の予備的に決定された量であり；
ＺＬＦは予備的に決定された低周波ＬＦインピーダンスであり；
３）ΔＷｏｓｍ（ｔｋ）は：
ΔＷｏｓｍ（ｔｋ）＝［Ｗｓｕｍ（ｔｋ−１）−Ｗｓｕｍ（ｔｋ）］−Ｋａ［Ｗｏｕｔ（ｔｋ−１）−Ｗｏｕｔ（ｔｋ）］
として決定される代謝成分の増分であって、ここで：
Ｗｓｕｍ（ｔｋ−１）は時点ｔｋ−１において測定された電極間に位置するヒト身体領域の組織内における流体の量であり；
Ｗｏｕｔ（ｔｋ−１）は時点ｔｋ−１において測定された電極間に位置するヒト身体領域の組織内における細胞外液の量であり；
Ｋａは、１．２から２．１までの範囲から選択される、ヒト・ヘマトクリット量に依存する係数であり；
４）ΔＧ（ｔｋ）は：
ΔＧ（ｔｋ）＝ΔＷｏｓｍ（ｔｋ）・ＫＥ・ＫＰＲ／Ｋｇ
として決定される血液グルコースの濃度の増分であって、ここで：
Ｋｇは０．００５ｌ２ミリモル−１から０．００６ｌ２ミリモル−１までの範囲の正規化係数であり；
ＫＥは、食事を摂取する前には０．２３から０．４までの範囲から選択され、そして、食事の後には０．６から１．０までの範囲から選択される係数であり；
ＫＰＲは、食事を摂取してから２０分後から４５分後までに血液中のグルコースの濃度を測定することに対応した係数であって、ここで：
ΔＷｏｓｍ（ｔｋ）が０より大きい場合には、ＫＰＲ＝１であり；
ΔＷｏｓｍ（ｔｋ）が０より小さい場合には、ＫＰＲ＝−１である。
【００２５】
本発明が以下の図式的な図面により例証されている。
【図面の簡単な説明】
【００２６】
【図１】図１は、第１のボランティアに対する、血液中におけるグルコース濃度決定の結果を示している。図１ａは、本発明の方法を含めた種々の異なる方法の使用を通じて決定されたグルコース濃度の変動のグラフを示している。図１ｂは、インピーダンスおよび温度の測定値のグラフを示している。
【図２】図２は、第２のボランティアに対する、血液中におけるグルコース濃度決定の結果を示している。図２ａは、本発明の方法を含めた種々の異なる方法の使用を通じて決定されたグルコース濃度の変動のグラフを示している。図２ｂは、インピーダンスおよび温度の測定値のグラフを示している。
【図３】図３は、第３のボランティアに対する、血液中におけるグルコース濃度決定の結果を示している。図３ａは、本発明の方法を含めた種々の異なる方法の使用を通じて決定されたグルコース濃度の変動のグラフを示している。図３ｂは、インピーダンスおよび温度の測定値のグラフを示している。
【発明の詳細な説明】
【００２７】
本方法は以下のような仕方で実行される。
【００２８】
２つの電極が相互に間隔（距離Ｌ）を隔ててヒト身体領域に確保される。それらの電極を末梢の身体領域（たとえば腕、特には前腕または指）に確保するのが好適である。前腕または指を取り囲む環状の電極を用いた場合に最良の結果が得られるであろう。
【００２９】
本明細書において特許請求されている本発明による方法は、ヒト血液中におけるグルコース濃度の増分の値を算出し、続いて、それらの算出された値を合計することに基づくため、インピーダンスの測定を行う前に、血液グルコース濃度を（侵襲的な方法または非侵襲的な方法のいずれかにかかわらず、何らかの他の方法を用いて）測定すべきであり、そして、そのようにして測定されたインピーダンスの値が初期値として採用される。
【００３０】
ヒト身体領域のインピーダンスが２つの周波数：高い周波数ＨＦおよび低い周波数ＬＦ；において電極間で測定される。高い周波数ＨＦは２００ｋＨｚから２ＭＨｚまでの範囲から選ばれ；低い周波数ＬＦは２０ｋＨｚから８０ｋＨｚまでの範囲から選ばれる。身体領域組織の電気的インピーダンスの成分の電気的インピーダンスは、公知の方法の１つを使用して、詳細には、高周波振動を放射し、その後、容量センサを用いてインピーダンスを測定することにより、測定することができる。ヒト身体領域のインピーダンスは１秒間から１０分間までの範囲から選ばれる時間間隔で測定される。
【００３１】
測定の過程において、食物摂取（外部からヒト身体内へのグルコースの供給を意味する）の瞬間が記録される。これは、記録された食物摂取開始の瞬間から経過した時間を考慮に入れて、グルコースに関連した細胞外液の量の代謝成分の増分を導出するために行われる。
【００３２】
ヒト血液中における初期グルコース濃度量、ならびに高い周波数および低い周波数においてヒト身体領域のインピーダンスに関して現在行われている連続的な測定に基づいて、且つ、食物摂取の経時的な瞬間を考慮に入れて、ヒト血液中におけるグルコース濃度が以下のようにして導出される。
【００３３】
１．電極間に位置するヒト身体領域に含有されている流体の量Ｗｓｕｍ（ｔｋ）は、それらの電極間の距離Ｌを考慮に入れて、時点ｔｋにおいて高周波ＨＦで測定されたそのヒト身体領域でのインピーダンス値［ＺＨＦ（ｔｋ）］に基づいて、以下のようにして導出される：
Ｗｓｕｍ（ｔｋ）＝Ａ・Ｌ２／ＺＨＦ（ｔｋ）
ここで、Ａは次の式：
Ａ＝Ｖｓｕｍ・ＺＨＦ／Ｌ２
から算出される校正係数である。
【００３４】
上の式において、Ｖｓｕｍは、それらの電極間に位置するヒト身体領域の組織中に含有されている流体の量の（前以って得られた）値である。この値は、たとえば、インピーダンス測定用に選定されたそのヒト身体領域の解剖学的関係を用いて算出することができる。また、高周波ＺＨＦで測定された（且つ、本明細書において特許請求されている本発明に従ってヒト血液中におけるグルコース濃度を決定することを目的とした測定の開始に先立って前以って得られた）ヒト身体領域のインピーダンスの値を用いて、校正係数Ａも導出される。
【００３５】
２．電極間に位置するヒト身体領域の組織中に含有されている細胞外液の量Ｗｏｕｔ（ｔｋ）は、それらの電極間の距離Ｌを考慮に入れて、時点ｔｋにおいて低周波ＬＦで測定されたそのヒト身体領域でのインピーダンス値［ＺＬＦ（ｔｋ）］に基づいて、以下のようにして導出される：
Ｗｏｕｔ（ｔｋ）＝Ｂ・Ｌ２／ＺＬＦ（ｔｋ）
ここで、Ｂは次の式：
Ｂ＝Ｖｏｕｔ・ＺＬＦ／Ｌ２
から算出される校正係数である。
【００３６】
上の式において、Ｖｏｕｔは、それらの電極間に位置するヒト身体領域に含有されている細胞外液の量の（前以って得られた）値である。この値は、たとえば、インピーダンス測定用に選定されたそのヒト身体領域の解剖学的関係を用いて算出することができる。また、低周波ＺＬＦで測定されたヒト身体領域のインピーダンスの値を用いて、校正係数Ｂも決定される。このインピーダンス値は、本発明に従って行われるヒト血液中におけるグルコース濃度の測定に先立って前以って決定される。
【００３７】
３．この後、電極間に位置するヒト身体領域の組織中に含有されている流体の量に関する得られた値、および電極間に位置するヒト身体領域の組織中に含有されている細胞外液の量に関する得られた値は、細胞外液量の代謝成分の増分ΔＷｏｓｍ（ｔｋ）を算出するために使用される。時点ｔｋにおけるインピーダンスの測定で得られた流体量の値および時点ｔｋ−１における前回の測定で得られた流体量の値がこの算出で使用される。細胞外液量の代謝成分の増分は、次の式：
ΔＷｏｓｍ（ｔｋ）＝［Ｗｓｕｍ（ｔｋ−１）−Ｗｓｕｍ（ｔｋ）］−Ｋａ［Ｗｏｕｔ（ｔｋ−１）−Ｗｏｕｔ（ｔｋ）］
から算出され、ここで：
Ｗｓｕｍ（ｔｋ）は、時点ｔｋにおいて行われた現在の測定での、電極間に位置するヒト身体領域の組織中に含有されている流体の量であり；
Ｗｓｕｍ（ｔｋ−１）は、時点ｔｋ−１において行われた前回の測定での、電極間に位置するヒト身体領域の組織中に含有されている流体の量であり；
Ｗｏｕｔ（ｔｋ）は、時点ｔｋにおいて行われた現在の測定での、電極間に位置するヒト身体領域の組織中に含有されている細胞外液の量であり；
Ｗｏｕｔ（ｔｋ−１）は、時点ｔｋ−１において行われた前回の測定での、電極間に位置するヒト身体領域の組織中に含有されている細胞外液の量であり；
Ｋａは、ヒト・ヘマトクリット値に依存する係数である（この係数は１．２から２．１までの範囲から選ばれる）。
【００３８】
４．ヒト血液中におけるグルコース濃度の増分の値は、食物摂取の瞬間を考慮に入れて、上述のΔＷｏｓｍ（ｔｋ）の得られた値に基づいて決定される：
ΔＧ（ｔｋ）＝ΔＷｏｓｍ（ｔｋ）・ＫＥ・ＫＰＲ／Ｋｇ
ここで：
Ｋｇは０．００５ｌ２ミリモル−１から０．００６ｌ２ミリモル−１までの範囲から選ばれる正規化係数であり；
ＫＥは食物摂取に依存する係数であって；食物を摂取する前にヒト血液中におけるグルコース濃度を決定するときには、ＫＥ値は０．２３から０．４までの範囲から選ばれ、そして、食物を摂取した後にヒト血液中におけるグルコース濃度を決定するときには、ＫＥ値は０．６から１．０までの範囲から選ばれ；
ＫＰＲは食物を摂取してから２０分後から４５分後までの時間枠内でヒト血液中におけるグルコースの濃度を決定する場合に使用される係数であって、この係数は、以下のルール：
細胞外液量の代謝成分に関する上述の増分ΔＷｏｓｍ（ｔｋ）が０より大きい場合には、ＫＰＲ＝１；
細胞外液量の代謝成分に関する上述の増分ΔＷｏｓｍ（ｔｋ）が０より小さい場合には、ＫＰＲ＝−１；
に従って、細胞外液量の代謝成分に関する上述の増分の符号に依存して、１もしくは−１のいずれかの値をとる。
【００３９】
５．時点ｔｋによるヒト血液中におけるグルコース濃度の最終的な値は、以下のようにして導出される：
2015512672.tif 000003
【００４０】
ここで：
Ｇ０は、ヒト血液中におけるグルコース濃度の初期値であり；
ΔＧ（ｔｉ）は、測定を開始してから時点ｔｋまでに得られたヒト血液中におけるグルコース濃度のすべての増分の値であって、ここで、ｉ＝｛１、ｋ｝である。
【００４１】
このようにして、ヒト血液中におけるグルコース濃度の初期値Ｇ０を知り、且つ、高い周波数と低い周波数においてヒト身体領域のインピーダンス−ＺＨＦ（ｔｋ）およびＺＬＦ（ｔｋ）の測定を定期的に行うことにより、ヒト血液中におけるグルコース濃度の現在の値を導出することができる。本発明は、人間の個別的な生理学的特徴および食物摂取の瞬間を考慮に入れるというオプションを含め、ヒト組織における水分区域の量の変化を特徴付けする上述のパラメータを算出することが可能であり、そして最終的には、ヒト血液中におけるグルコース濃度の現在の値を算出することが可能な、かなり簡単な測定装置として具現化することができる。
【実施例】
【００４２】
実施例１．健常なボランティア＃１に関する測定データの処理
３００ｇの甘味飲料（Ｐｅｐｓｉ  Ｃｏｌａ）からなる食事（食物負荷）を摂取した、３８歳の健常な男性。図１ｂは、前腕に設置されたセンサによって記録されたインピーダンス値の変動ＺＨＦおよびＺＬＦならびに温度Ｔ℃のグラフを示しており、一方、図１ａは、ボランティア＃１の血液中におけるグルコース濃度の変動のグラフを示している。ドットは、測定の間に取られた血液サンプルの値を指し示している（Ｒｏｃｈｅ  Ａｃｃｕ−Ｃｈｅｋ  Ａｃｔｉｖｅグルコメータが使用された）。１５０分間の測定間隔での平均誤差は６．８％であった。
【００４３】
実施例２．健常なボランティア＃２に関する測定データの処理
２杯の２００ｇ入りのグラスに入った甘味飲料（Ｐｅｐｓｉ  Ｃｏｌａ）からなる食事（食物負荷）を摂取した、４５歳の健常な男性。図２ｂは、前腕に設置されたセンサによって記録されたインピーダンス値の変動ＺＨＦおよびＺＬＦならびに温度Ｔ℃のグラフを示しており、一方、図２ａは、ボランティア＃２の血液中におけるグルコース濃度の変動のグラフを示している。ドットは、測定の間に取られた血液サンプルの値を指し示している（Ｒｏｃｈｅ  Ａｃｃｕ−Ｃｈｅｋ  Ａｃｔｉｖｅグルコメータが使用された）。１４０分間の測定間隔での平均誤差は７．２％であった。
【００４４】
実施例３．健常なボランティア＃３に関する測定データの処理
２００ｇの甘味飲料（Ｐｅｐｓｉ  Ｃｏｌａ）およびバナナからなる複合型の食事（食物負荷）を摂取した、４２歳の健常な男性。図３ｂは、前腕に設置されたセンサによって記録されたインピーダンス値の変動ＺＨＦおよびＺＬＦならびに温度Ｔ℃のグラフを示しており、一方、図３ａは、ボランティア＃３の血液中におけるグルコース濃度の変動のグラフを示している。ドットは、測定の間に取られた血液サンプルの値を指し示している（Ｒｏｃｈｅ  Ａｃｃｕ−Ｃｈｅｋ  Ａｃｔｉｖｅグルコメータが使用された）。１５０分間の測定間隔での平均誤差は９．５％であった。
【００４５】
実施された試験は、ヒト血液中におけるグルコース濃度の値を決定する場合、本明細書で特許請求されている本方法が、公知の非侵襲的な方法と比べて、誤差が少ないことにより特徴付けられることを示した。
【図１】
2015512672.tif 000004
【図２】
2015512672.tif 000005
【図３】
2015512672.tif 000006
【国際調査報告】
2015512672.tif 000007
2015512672.tif 000008